(57)【要約】【課題】火災等により室内外に炎貫通部が生じない建具を提供する。【解決手段】２つの空間を仕切るパネル体を有する建具であって、前記パネル体を形成し、前記２つの空間のうちの一方の空間に臨む部位と他方の空間に臨む部位とに開孔が形成された中空部を有する金属製の框体と、前記框体内に配置され、前記開孔により前記框体が見込み方向に貫通されることを防止する金属製の貫通防止部材と、を有し、  前記中空部は、互いに対向する一対の内面を有しており、  前記貫通防止部材は、前記開孔と対向する遮蔽部と、前記中空部の一対の内面と当接する当接部と、を有している。【選択図】図４
2011231595.tif 000002
【特許請求の範囲】
【請求項１】
２つの空間を仕切るパネル体を有する建具であって、
前記パネル体を形成し、前記２つの空間のうちの一方の空間に臨む部位と他方の空間に臨む部位とに開孔が形成された中空部を有する金属製の框体と、
前記框体内に配置され、前記開孔により前記框体が見込み方向に貫通されることを防止する金属製の貫通防止部材と、
を有し、
前記中空部は、互いに対向する一対の内面を有しており、
前記貫通防止部材は、前記開孔と対向する遮蔽部と、前記中空部の一対の内面と当接する当接部と、を有していることを特徴とする建具。
【請求項２】
請求項１に記載の建具であって、
前記当接部は、前記一対の内面にて押圧され、押圧された反力により前記中空部内に保持されることを特徴とする建具。
【請求項３】
請求項１または請求項２に記載の建具であって、
前記当接部は、前記一方の空間に臨む部位と前記他方の空間に臨む部位とでなる前記一対の内面に当接されており、前記框体の見付け方向における当該当接部の幅は、当該見付け方向における前記開孔の幅より広いことを特徴とする建具。
【請求項４】
請求項３に記載の建具であって、
前記遮蔽部は、平板形状であり、
前記当接部は、前記遮蔽部から前記一方の空間側に向かって突出する一方側折曲部と、前記遮蔽部から前記他方の空間側に向かって突出する他方側折曲部と、で構成されていることを特徴とする建具。
【発明の詳細な説明】
【技術分野】
【０００１】
本発明は、２つの空間を仕切るパネル体を有する建具に関する。
【背景技術】
【０００２】
２つの空間を仕切るパネル体を有する建具としては、例えば、室内側と室外側とに受信機が設けられた防火扉が知られている。このような防火扉は、室内側の受信機と室外側の受信機とを接続するケーブルを挿通させるための挿通孔が形成された金属製の裏板がそれぞれの受信機に設けられている。各々の裏板は、挿通孔が互い違いにずれた状態で固定されている（例えば、特許文献１参照）。また、パネル体の室内側と室外側から取り付けられるものとしては障子の引手がある。引手は、室内側においても室外側においても操作しやすい位置、すなわち、室内側と室外側で同じ位置に開孔を設けて取り付けられることが多い。
【先行技術文献】
【特許文献】
【０００３】
【特許文献１】特開２００７−２９６４４号公報
【発明の概要】
【発明が解決しようとする課題】
【０００４】
上記のような引手として、樹脂製の引手を用いると、火災等にて燃焼してしまい、室内外に炎貫通部が生じてしまう虞があるという課題がある。
【０００５】
本発明は、かかる課題に鑑みてなされたものであり、その目的とするところは、火災等により室内外に炎貫通部が生じない建具を提供することにある。
【課題を解決するための手段】
【０００６】
かかる目的を達成するために本発明の建具は、２つの空間を仕切るパネル体を有する建具であって、前記パネル体を形成し、前記２つの空間のうちの一方の空間に臨む部位と他方の空間に臨む部位とに開孔が形成された中空部を有する金属製の框体と、前記框体内に配置され、前記開孔により前記框体が見込み方向に貫通されることを防止する金属製の貫通防止部材と、を有し、前記中空部は、互いに対向する一対の内面を有しており、前記貫通防止部材は、前記開孔と対向する遮蔽部と、前記中空部の一対の内面と当接する当接部と、を有していることを特徴とする建具である。  
このような建具によれば、框体に設けられている開孔により框体が見込み方向に貫通することを防止する金属製の貫通防止部材の遮蔽部が、框体内にて開孔と対向する位置に配置されているので、２つの空間を仕切るパネル体が、たとえ火災等により火炎に晒されたとしても、２つの空間の間に炎貫通部が生じることを防止することが可能である。このとき、貫通防止部材は、框体の中空部が有する、互いに対向する一対の内面に当接部が当接されるので、貫通防止部材を中空部が有する一対の内面に狭持させて容易に取り付けることが可能である。
【０００７】
かかる建具であって、前記当接部は、前記一対の内面にて押圧され、押圧された反力により保持されることが望ましい。  
このような建具によれば、当接部は、一対の内面にて押圧された反力により保持されるので、貫通防止部材を框体の一対の内面間に、強固に保持させることが可能である。
【０００８】
かかる建具であって、前記当接部は、前記一方の空間に臨む部位と前記他方の空間に臨む部位とでなる前記一対の内面に当接されており、前記框体の見付け方向における当該当接部の幅は、当該見付け方向における前記開孔の幅より広いことが望ましい。  
このような建具によれば、当接部の見付け方向の幅は、開孔の見付け方向の幅より広いので、貫通防止部材を框体の中空部内に、長手方向の端部から挿入し、開孔を通過させても当接部が開孔に入り込むことはない。このため、貫通防止部材を框体の長手方向の端部から挿入して、一方の空間に臨む部位と他方の空間に臨む部位とでなる一対の内面に容易に配置させることが可能である。
【０００９】
かかる建具であって、前記遮蔽部は、平板形状であり、前記当接部は、前記遮蔽部から前記一方の空間側に向かって突出する一方側折曲部と、前記遮蔽部から前記他方の空間側に向かって突出する他方側折曲部と、で構成されていることが望ましい。  
このような建具によれば、開孔を覆うための遮蔽部と、中空部内に保持される為の当接部とが簡単な形状で構成される為、貫通防止部材の全体構成をシンプルにすることが可能となる。
【発明の効果】
【００１０】
本発明によれば、火災等により室内外に炎貫通部が生じない建具を提供することが可能である。
【図面の簡単な説明】
【００１１】
【図１】本実施形態に係る建具を示す外観図である。
【図２】貫通防止部材が設けられた縦框の断面図である。
【図３】図２におけるＡ矢視図である。
【図４】貫通防止部材の縦框への取り付け方法を説明するための斜視図である。
【図５】貫通防止部材の縦框への取り付け方法を説明するための概略断面図である。
【図６】貫通防止部材の第１変形例を示す正面図である。
【図７】貫通防止部材が設けられた縦框の断面図である。
【図８】図７におけるＢ矢視図である。
【発明を実施するための形態】
【００１２】
以下、本発明の一実施形態に係る建具について図面を参照して説明する。  
本実施形態の建具１０は、２つの空間を仕切る防火用建具であって、図１に示すように、パネル体としての引き違い方式の障子２０と、障子２０が案内されるレールを有する枠体１２とを有している。本実施形態では、一方の空間としての室内側の空間と他方の空間としての室外側の空間との２つの空間を仕切る障子２０を備えた防火用の建具１０を例に挙げて説明する。
【００１３】
以下の説明においては、建具１０が建物等に取り付けられた状態にて上下となる方向を上下方向、室内外方向（奥行き方向）を見込み方向として示す。また、建具１０が有する各部材は、単体の説明であっても、当該部材が取り付けられている状態にて上下となる方向を上下方向、室内外方向（奥行き方向）を見込み方向として示す。
【００１４】
障子２０は、矩形状に枠組みされた框体２１と、框体２１に囲まれた内側に配置される面材２８とを有している。框体２１は、障子２０の戸先側に配置される戸先框２２を有しており、戸先框２２には障子２０の開閉時に使用者が指を掛ける樹脂製の引手２４が設けられ、内部には貫通防止部材３０が設けられている。
【００１５】
戸先框２２は、アルミニウム製の押出成形部材であり、長手方向に貫通された中空部材である。そして、戸先框２２の水平断面は、見付け方向に沿うように長辺側が配置された長方形状の中空部２２ａを有している。すなわち、中空部２２ａは、長辺側をなす一対の見付け方向壁部２２ｂと短辺側をなす一対の見込み方向壁部２２ｃとを有している。
【００１６】
一対の見付け方向壁部２２ｂには、戸先框２２の長手方向における中央より僅かに下側に、引手２４が嵌合される開孔としての嵌合孔２２ｄが設けられている。嵌合孔２２ｄは、框体２１の室内側の空間に臨む部位である室内側の見付け方向壁部２２ｂと框体２１の室外側の空間に臨む部位である室外側の見付け方向壁部２２ｂとの対向する位置に、同じ形状に形成されており、２つの嵌合孔２２ｄにより戸先框２２は見込み方向に貫通されている。
【００１７】
戸先框２２の内部に設けられる貫通防止部材３０は、アルミニウム製であり、室内側の見付け方向壁部２２ｂに設けられた嵌合孔２２ｄと室外側の見付け方向壁部２２ｂに設けられた嵌合孔２２ｄにて貫通される空間を遮るように配置されている。
【００１８】
貫通防止部材３０は、室内側及び室外側の見付け方向壁部２２ｂに設けられた嵌合孔２２ｄより十分に広い面積を有する遮蔽部としての平板形状の遮蔽板部３１と、遮蔽板部３１の上端が見付け方向において２つに分割され、一方が室内側に、他方が室外側に折り曲げられている。図２、図３に示す例では、分割された部位の戸先側が室外側に向かって突出するように折り曲げられて一方側折曲部としての外側折曲部３２を形成し、召合せ側が室内側に向かって突出するように折り曲げられて他方側折曲部としての内側折曲部３３を形成している。ここで、外側折曲部３２及び内側折曲部３３が当接部に相当する。
【００１９】
外側折曲部３２の見付け方向（框体の見付け方向）の幅と、内側折曲部３３の見付け方向の幅とを足した寸法（幅）は、戸先框２２に設けられた嵌合孔２２ｄの見付け方向の幅より大きくなるように形成されている。また、貫通防止部材３０を中空部２２ａ内に配置する前の状態において、外側折曲部３２の室外側の縁３２ａと内側折曲部３３の室内側の縁３３ａとの距離は、戸先框２２が有する中空部２２ａの見込み方向の幅、すなわち、見付け方向壁部２２ｂの間隔より僅かに大きく形成されている。ここで、見付け方向壁部２２ｂの内面が中空部２２ａを形成し互いに対向する一対の内面に相当し、当接部の一対の内面と交差する方向における幅が、通防止部材３０を中空部２２ａ内に配置する前の状態における外側折曲部３２の室外側の縁３２ａと内側折曲部３３の室内側の縁３３ａとの距離に相当する。
【００２０】
貫通防止部材３０の戸先框２２への取り付けは、図４に示すように、治具５０を用いて行われる。
【００２１】
治具５０は、断面形状が正方形状をなす角材で形成されており、治具５０の長手方向におけるほぼ半分より先端側は、正方形状をなす角材の厚みが後端側より薄く形成されている。治具５０の先端側の断面は、戸先框２２の中空部２２ａより僅かに小さな長方形状をなしている。このため、治具５０は長手方向におけるほぼ中央に段部５１が形成されており、先端側が戸先框２２の中空部２２ａに挿入されると、段部５１が戸先框２２の小口２２ｅに当接されるように形成されている。
【００２２】
また、治具５０の先端には、長方形状の断面における短辺方向の中央に長辺方向に沿ってスリット５２が形成されている。スリット５２の深さ（戸先框２２の長手方向の深さ）は、貫通防止部材３０が有する遮蔽板部３１の下端から外側折曲部３２及び内側折曲部３３に至る長さより浅く形成されている。このため、スリット５２に遮蔽板部３１を下端側から挿入しても治具５０の先端５０ａが外側折曲部３２及び内側折曲部３３に接触しないように構成されている。
【００２３】
貫通防止部材３０を戸先框２２に取り付ける場合には、まず、貫通防止部材３０を治具５０のスリット５２に挿入する。
【００２４】
次に、スリット５２に挿入された貫通防止部材３０の外側折曲部３２及び内側折曲部３３を、戸先框２２の下端側の小口２２ｅに接触させる。このとき、外側折曲部３２の室外側の縁３２ａと内側折曲部３３の室内側の縁３３ａとがいずれも戸先框２２の小口２２ｅに接触するように配置する。
【００２５】
次に、治具５０を戸先框２２の長手方向に沿って戸先框２２内に挿入する。このとき、貫通防止部材３０は図５に示すように、外側折曲部３２及び内側折曲部３３が、さらに押し曲げられつつ挿入されていく。このとき、戸先框２２の内面により外側折曲部３２及び内側折曲部３３が押圧された反力にて貫通防止部材３０が戸先框２２内に保持される。
【００２６】
貫通防止部材３０は、外側折曲部３２及び内側折曲部３３が、戸先框２２に設けられた嵌合孔２２ｄを通過した後に、治具５０の段部５１が戸先框２２の小口２２ｅに当接されて位置決めされる。そして、治具５０を戸先框２２から抜き取ると、貫通防止部材３０の遮蔽板部３１が、嵌合孔２２ｄにより戸先框２２が見込み方向に貫通しない位置に配置されている。
【００２７】
最後に、戸先框２２の室内側と室外側とから引手２４が嵌合孔２２ｄに嵌合されることにより引手２４が戸先框２２に取り付けられる。引手２４が取り付けられた戸先框２２を用いて障子２０が組立てられ、組み立てられた障子２０が枠体１２に組み付けられて建具１０が完成する。
【００２８】
本実施形態の建具１０によれば、框体２１に設けられている嵌合孔２２ｄにより框体２１が見込み方向に貫通することを防止する金属製の貫通防止部材３０の遮蔽部が、框体２１内にて開孔と対向する位置に配置されているので、障子２０が仕切る室内に臨む部位と室外に臨む部位とに嵌合孔２２ｄが形成された框体２１を有する障子２０が、たとえ火災等により火炎に晒されたとしても、室内と室外との間に炎貫通部が生じることを防止することが可能である。また、貫通防止部材３０は、框体２１の中空部２２ａにおける互いに対向する一対の内面である見付け方向壁部２２ｂに当接されているので、貫通防止部材３０の取り付けが容易である。そして、貫通防止部材３０は、一対の見付け方向壁部２２ｂによって狭持される状態となる。
【００２９】
また、外側折曲部３２の室外側の縁３２ａと内側折曲部３３の室内側の縁３３ａとの距離は、戸先框２２が有する中空部２２ａの見込み方向の幅より僅かに大きく形成されているので、貫通防止部材３０を框体２１内に配置することにより、貫通防止部材３０を框体２１に確実に保持させることが可能である。
【００３０】
また、外側折曲部３２と内側折曲部３３とは、一対の内面、すなわち、見付け方向壁部２２ｂの内面に押圧された反力により保持されるので、貫通防止部材３０を框体２１の一対の見付け方向壁部２２ｂ間に、より強固に保持させることが可能である。このとき、図６に示すように、外側折曲部３２と内側折曲部３３との間の遮蔽板部３１に切り欠き３４を設けると、遮蔽板部３１による撓みが生じやすくなるので、貫通防止部材３０を戸先框２２により挿入し易くすることが可能である。
【００３１】
また、外側折曲部３２と内側折曲部３３の見付け方向の幅の合計は、嵌合孔２２ｄの見付け方向の幅より広いので、貫通防止部材３０を中空部材でなる戸先框２２に、長手方向の端部となる小口２２ｅから挿入し、嵌合孔２２ｄを通過させても外側折曲部３２及び内側折曲部３３が嵌合孔２２ｄに入り込むことはない。このため、貫通防止部材３０を框体２１の長手方向の端部の小口２２ｅから挿入して、室内に臨む部位と室外に臨む部位とでなる見付け方向壁部２２ｂに容易に狭持させることが可能である。
【００３２】
上記実施形態においては、外側折曲部３２と内側折曲部３３の見付け方向の幅の合計を嵌合孔２２ｄの見付け方向の幅より広くさせたが、外側折曲部３２と内側折曲部３３の見付け方向の幅をそれぞれ嵌合孔２２ｄの見付け方向の幅より広くしてもよい。
【００３３】
上記実施形態においては、貫通防止部材３０を戸先框２２の室内側の面と室外側の面とで保持する例について説明したが、これに限るものではない。例えば、図７、図８に示すように、外側折曲部３２の室外側の縁３２ａと内側折曲部３３の室内側の縁３３ａとの距離を、戸先框２２が有する中空部２２ａの見込み方向の幅より狭くし、外側折曲部３２及び内側折曲部３３をそれぞれ見付け方向に延出させ、延出させた先端３２ｂ、３３ｂを、戸先框２２の中空部２２ａにおける戸先側の面と召合せ側の面とをなす見込み方向壁部２２ｃに当接させて保持することも可能である。
【００３４】
上記実施形態においては、貫通防止部材をアルミニウム製として説明したが、貫通防止部材の材質はアルミニウムに限らず、例えばステンレスや鉄等でも構わない。このとき、貫通防止部材の材質は、その融点が、アルミニウムの融点より高くても低くてもいずれであっても構わない。
【００３５】
上記実施形態においては、戸先框２２に設けられた開孔を引手２４が嵌合される嵌合孔２２ｄとしたが、これに限らず、例えばハンドルや施錠機構などを設けるために形成された開孔であっても構わない。また、開孔が形成されている框も戸先框に限るものではない。
【００３６】
上記実施形態においては、障子２０が仕切る２つの空間を室内側の空間と室外側の空間としたが、これに限るものではなく、例えば、通路の途中に設けられて手前側の空間と奥側の空間とを仕切る建具であっても構わない。
【００３７】
上記実施形態においては、防火用の建具を例に挙げて説明したが、２つの空間を仕切る建具であれば防火用に限るものではない。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３９】
１０  建具、１２  枠体、２０  障子、２１  框体、２２  戸先框、２２ａ  中空部、
２２ｂ  見付け方向壁部、２２ｃ  見込み方向壁部、２２ｄ  嵌合孔、
３０  貫通防止部材、３１  遮蔽板部、３２  外側折曲部、３２ａ  室外側の縁、
３３  内側折曲部、３３ａ  室内側の縁
【図１】
2011231595.tif 000003
【図２】
2011231595.tif 000004
【図３】
2011231595.tif 000005
【図４】
2011231595.tif 000006
【図５】
2011231595.tif 000007
【図６】
2011231595.tif 000008
【図７】
2011231595.tif 000009
【図８】
2011231595.tif 000010